(57)【要約】      （修正有）【課題】動揺と手揺運動を両立する、より多様化の体操器材を提供する。【解決手段】中央回転盤１０の中心にある中心軸は、両側に、順にそれぞれ、連接盤３０と、握り結合盤４０と、紐部品と、紐６０とが結合され、中央回転盤は、外側にロール部があり、中心に貫通穴が形成され、一側に円柱形状の重りが埋め込まれ、中心軸は、全ての部品を貫通し、両端部にあるロック段により、握り結合盤と紐部品とが固接され、連接盤は、中央回転盤の外側に固接され、握り結合盤は、内側に結合盤部が設けられ、外側の中央に握り部が結合され、中心に貫通穴が形成され、紐部品は、中心にロック穴が設けられ、一側に係合部が設けられ、紐は、紐本体と、その一端にある係合部品と、他の一端に設置される掴み部６３とからなる。【選択図】図１
0003111902.tif 000002
【実用新案登録請求の範囲】
【請求項１】
中央回転盤の中心にある中心軸は、両側に、順にそれぞれ、連接盤と、握り結合盤と、紐部品と、紐とが結合される、体操器材であって、
外側にロール部があり、中心に貫通穴が形成され、一側に重りが埋め込まれる当該中央回転盤と、
全ての部品を貫通し、両端部にあるロック段により、握り結合盤と紐部品とが固接される中心軸と、
中心に貫通穴が形成され、外側に軸着槽がある連接盤と、
内側に結合盤部が設けられ、外側の中央に握り部が結合され、中心に貫通穴が形成される握り結合盤と、
中心にロック穴が設けられ、一側に係合部が設けられる紐部品と、
紐本体と、その一端にある係合部品と、他の一端に設置される掴み部とからなる紐と、が含有され
上記の構造により、連接盤は、中央回転盤の両側に固定結合され、握り結合盤は、結合盤部により、軸着槽に設置され、中心軸は、各貫通穴を貫通して、ロック段が握り部の両端から露出され、紐部品は、それに、固定され、これにより、中心軸と握り結合盤及び紐部品が一体になり、中央回転盤と連接盤は、中央に位置して自転できる、
ことを特徴とする動揺と手揺運動を両立する体操器材。
【請求項２】
中央回転盤内に埋め込まれる重りは、円柱形状である、ことを特徴とする請求項１に記載の動揺と手揺運動を両立する体操器材。
【請求項３】
中央回転盤内に埋め込まれる重りは、円弧切り形状である、ことを特徴とする請求項１に記載の動揺と手揺運動を両立する体操器材。
【請求項４】
当該握り結合盤上にある握り部は、分離式であり、当該握り部の内側に、結合段が設置され、対応する結合位置に結合槽が設置されることにより、当該結合段は、当該結合槽と固定されるか分離される、ことを特徴とする請求項１に記載の動揺と手揺運動を両立する体操器材。
【考案の詳細な説明】
【技術分野】
【０００１】
本考案は、運動用の「動揺と手揺運動を両立する体操器材」に関し、特に、多数の使用仕方で、体の異なる部位を訓練できる、多機能で多数の訓練効果が得られるものに関する。
【背景技術】
【０００２】
時代の変化に伴い、現代人の生活慣習やスペースが、大幅に変遷して、生活慣習は、仕事が忙しく、生活の重心が仕事にあるため、運動する時間がなく、時間があっても、時間が遅いから、外出して運動することができず、また、スペースにおいて、都市にビルが林立し、運動スペースがあまりないため、時間と空間の変遷に応じて、うまく空間を運用でき、いつでもどこでも運動できる体操器材は、開発された。
【０００３】
本考案は、運動のために、多種の運動をできる体操器材を提供し、座る時や横たおっている時及び立つ時、多数の体の部位について訓練でき、また、運動する仕方が高度な困難動作だけでなく、基本から高度までの動作に適用され、より実用性のある新しい構造である。
【考案の開示】
【考案が解決しようとする課題】
【０００４】
本考案は、紐を設置することや握り部が分離できることにより、体操器材の使用仕方は、より多様化になり、簡単から困難までの運動仕方ができ、大勢の人に適用されることだけでなく、多数の体の部位を訓練できる、動揺と手揺運動を両立する体操器材を提供する。
【課題を解決するための手段】
【０００５】
本考案によれば、中央回転盤の中心にある中心軸は、両側に、順にそれぞれ、連接盤と、握り結合盤と、紐部品と、紐とが結合され、中央回転盤は、外側にロール部があり、中心に貫通穴が形成され、一側に円柱形状の重りが埋め込まれ、中心軸は、全ての部品を貫通し、両端部にあるロック段により、握り結合盤と紐部品とが固接され、連接盤は、中心に貫通穴が形成され、外側に軸着槽があり、握り結合盤は、内側に結合盤部が設けられ、外側の中央に握り部が結合され、中心に貫通穴が形成され、紐部品は、中心にロック穴が設けられ、一側に係合部が設けられ、紐は、紐本体と、その一端にある係合部品と、他の一端に設置される掴み部とからなり、上記の構造により、動揺と手揺運動を両立する体操器材が得られる。
【考案を実施するための最良の形態】
【０００６】
図面を参照しながら、本考案の目的や特徴及び機能を詳しく説明する。
【０００７】
図１と図２を参照しながら、中央回転盤(10)の中心にある中心軸(20)は、両側に、順にそれぞれ、連接盤(30)と、握り結合盤(40)と、紐部品(50)と、紐(60)とが結合され、中央回転盤(10)は、外側に、ロール部(11)があり、中心に貫通穴(12)が形成され、また、一側に、円柱形状の重り(13)が埋め込まれ、中心軸(20)は、全ての部品を貫通し、両端部にあるロック段(21)により、握り結合盤(40)と紐部品(50)とが固接され、連接盤(30)は、中心に、貫通穴(31)が形成され、外側に、軸着槽(32)があり、握り結合盤(40)は、内側に、結合盤部(41)が設けられ、外側の中央に握り部(42)が形成され、そして、中心に、貫通穴(43)が形成され、紐部品(50)は、中心に、ロック穴(51)が設けられ、一側に、係合部(52)が設けられ、紐(60)は、紐本体(61)と、その一端にある係合部品(62)と、他の一端に設置される掴み部(63)とからなる。
【０００８】
組み立て時、連接盤(30)は、中央回転盤(10)の両側に固定結合され、握り結合盤(40)は、結合盤部(41)により、軸着槽(32)に設置され、そして、中心軸(20)は、貫通穴(43)を貫通して、ロック段(21)が握り部(42)の両端から露出され、紐部品(50)は、ロック穴(51)とロック段(21)とをネジで固定することにより、握り部(42)の両端に設置され、これにより、中心軸(20)と握り結合盤(40)及び紐部品(50)が一体になり、中央回転盤(10)と連接盤(30)は、体操器材の中央に位置し、そして、自転できる。
【０００９】
また、中央回転盤(10)の重り(13)は、円柱形状でなく、円弧切り形状でもよい（例えば、図３のように）。
【００１０】
当該体操器材は、多数の使用仕方があり、まず、図４を参照しながら、紐(60)を使用せず、直接に腕立伏せをすることができ、両手で握り結合盤(40)の握り部(42)を握り、中央回転盤(10)により、直線に運動して、アームと腹の訓練をし、また、図５を参照しながら、紐(60)を使う場合、ユーザーは、椅子に座って両手で紐(60)を引っ張り、両足が握り部(42)上を踏んで、足で体操器材を前後にロールすると同時に、両手で交替に紐(60)を引っ張ることにより、前腕とすね及び膝の訓練をし、また、図６を参照しながら、紐(60)で体操器材全体を空に吊り上げ、左右へスウィングして運動し、アームの他の方向の筋肉と背中の筋肉の訓練をし、或いは、図７のように、両手で握り部(42)を握って前へか後への回転をすることにより、中央回転盤(10)と連接盤(30)が重り(13)により回転されることで、運動の目的が達成される。
【００１１】
また、図８のように、握り結合盤(40)上にある握り部(42)は、分離式でもよく、握り部(42)の内側に、結合段(421)が設置されて、対応する結合位置に結合槽(422)が設置されることにより、当該結合段(421)は、結合槽(422)と結合することか分離することができ、また、図９を参照しながら、握り部(42)を体操器材本体から分離した後、片手で回転する運動ができる。
【００１２】
上記の具体的な実施例の構造によれば、下記の効果が得られ、紐(60)を設置することと握り部(42)が分離できることにより、体操器材の使用仕方は、より多様化になり、簡単から困難までの運動仕方ができ、大勢の人に適用されることだけでなく、多数の体の部位を訓練できる。
【００１３】
上記のように、本考案は、構造が新鋭的で、その改良した内容が、進歩性のあるものと認められ、また、本考案は、刊行物に披露されることがないため、法に従って、実用新案登録を出願する。
【００１４】
以上の実施例は、ただ、本考案のより良い実施例であり、実施例による説明により、本考案の特徴や目的そして内容は、熟練者であれば、容易に分かるが、本考案の登録請求の範囲は、それによって制限されない。本考案に係わる登録請求の範囲に記載される構造や形状、特徴及び精神に従って、等価の変更や修正は、全てが、本考案の登録請求の範囲に含まれる。
【図面の簡単な説明】
【００１５】
【図１】本考案の立体組み立て図
【図２】本考案の立体分解図
【図３】本考案にかかわる重りの他の実施形態の立体断面図
【図４】本考案をロールに使用される時の動作参考図
【図５】本考案をロールと伸展に使用される時の動作参考図
【図６】本考案をスウィングに使用される時の動作参考図
【図７】本考案を両手動揺に使用される時の動作参考図
【図８】本考案にかかわる握り結合盤の握り部設計が分離式である断面図
【図９】本考案を單手動揺に使用される時の動作参考図
【符号の説明】
【００１６】
本考案部分：
中央回転盤−−(10)      ロール部−−−(11)
貫通穴−−−−(12)      重り−−−−−(13)
中心軸−−−−(20)      ロック段−−−(21)
連接盤−−−−(30)      貫通穴−−−−(31)
軸着槽−−−−(32)
握り結合盤−−(40)      結合盤部−−−(41)
握り部−−−−(42)      結合段−−−−(421)
結合槽−−−−(422)     貫通穴−−−−(43)
紐部品−−−−(50)      ロック穴−−−(51)
係合部−−−−(52)
紐−−−−−−(60)      紐本体−−−−(61)
係合部品−−−(62)      掴み部−−−−(63)
【図１】
0003111902.tif 000003
【図２】
0003111902.tif 000004
【図３】
0003111902.tif 000005
【図４】
0003111902.tif 000006
【図５】
0003111902.tif 000007
【図６】
0003111902.tif 000008
【図７】
0003111902.tif 000009
【図８】
0003111902.tif 000010
【図９】
0003111902.tif 000011